(57)【要約】  光源９から出射された光の少なくとも一部は、投影レンズ７を通過する。投影レンズ７を保持するレンズホルダは、第１熱伝導率を有する第１材料により形成される。熱伝導板２０は、第１熱伝導率よりも高い第２熱伝導率を有する第２材料により形成され、レンズホルダ６の下側支持部６ｃに接触するように配置される。
2014057863.tif 000002
【特許請求の範囲】
【請求項１】
車両に搭載される灯具であって、
光源と、
前記光源から出射された光の少なくとも一部が通過する投影レンズと、
第１熱伝導率を有する第１材料により形成され、前記投影レンズを保持するレンズホルダと、
前記第１熱伝導率よりも高い第２熱伝導率を有する第２材料により形成され、前記レンズホルダの下側部分に接触するように配置された熱伝導部材とを備える、灯具。
【請求項２】
前記光源から出射された光の一部を遮るシェードを備え、
前記熱伝導部材の一部は、前記シェードに接触している、請求項１に記載の灯具。
【請求項３】
前記第１材料は樹脂であり、前記第２材料は金属である、請求項１または２に記載の灯具。
【発明の詳細な説明】
【技術分野】
【０００１】
本発明は、車両に搭載される灯具に関する。
【背景技術】
【０００２】
この種の灯具として、カバーとランプハウジングによって区画された灯室内に、ランプユニットが配置されたものが知られている。そのようなランプユニットの例として、光源と、当該光源から出射された光が通過する投影レンズと、当該投影レンズを保持するレンズホルダを備えたものが知られている（例えば、特許文献１を参照）。
【先行技術文献】
【特許文献】
【０００３】
【特許文献１】日本国特許出願公開２０１１−１４６２４６号公報
【発明の概要】
【発明が解決しようとする課題】
【０００４】
このようなランプユニットにおいては、光源の点灯に伴って熱が発生する。上方に移動しやすい光源からの熱は、レンズホルダの上側を熱膨張させる。この場合、レンズホルダに保持されている投影レンズが下方へ傾き、ランプユニットの光軸が所定の位置よりも下方を向いてしまう。【０００５】
よって本発明は、灯具の光軸が光源の点灯に伴って下方を向くことを防止することを目的とする。
【課題を解決するための手段】
【０００６】
上記の目的を達成するために、本発明がとりうる一態様は、車両に搭載される灯具であって、
灯室を区画するハウジングおよびカバーと、
前記灯室内に配置された光源と、
前記光源から出射された光の少なくとも一部が通過する投影レンズと、
第１熱伝導率を有する第１材料により形成され、前記投影レンズを保持するレンズホルダと、
前記第１熱伝導率よりも高い第２熱伝導率を有する第２材料により形成され、前記レンズホルダの下側部分に接触するように配置された熱伝導部材とを備える。【０００７】
光源が点灯されると、熱が発生する。熱は上方に移動しやすいため、レンズホルダの上側部分が熱膨張する。一方、発生した熱は、熱伝導部材を通じてレンズホルダの下側部分に伝達される。これにより、下側部分もまた上側部分と同様に熱膨張する。したがって、レンズホルダに保持された投影レンズが下方に傾くことが回避され、灯具の光軸が所定位置から下方を向くことを防止できる。【０００８】
前記光源から出射された光の一部を遮るシェードを備え、前記熱伝導部材の一部は、前記シェードに接触している構成としてもよい。【０００９】
このような構成によれば、遮光によりシェードに生じる熱が、レンズホルダの下側部分へ積極的に伝達される。したがって、熱が移動しにくい下方に位置する下側部分の熱膨張が促進される。これにより、レンズホルダに保持された投影レンズが下方に傾くことがより確実に回避され、灯具の光軸が所定位置から下方を向くことをより確実に防止できる。【００１０】
前記第１材料は樹脂であり、前記第２材料は金属である構成としてもよい。【００１１】
レンズホルダが樹脂で形成されることにより、灯具を軽量かつ低コストで構成できる。また熱伝導部材が金属で形成されることにより、安価かつ容易にレンズホルダの下側部分への熱伝導経路を形成できる。したがって、製造コストを抑制しつつ、光源の点灯に伴って灯具の光軸が所定位置から下方を向くことを防止できる。
【図面の簡単な説明】
【００１２】
【図１】本発明の一実施形態に係る車両用灯具を一部断面で示す左側面図である。
【発明を実施するための形態】
【００１３】
添付の図面を参照しつつ、本発明の実施形態の例について以下詳細に説明する。
【００１４】
本発明の一実施形態に係る灯具１は、例えば車両の前端部における左右両側部に搭載される。なお以下の説明に用いる各図面においては、各部材を認識可能な大きさとするために縮尺を適宜変更している。
【００１５】
図１に示すように、灯具１は、ランプハウジング２、カバー３、およびランプユニット５を備えている。ランプハウジング２は、前方に開口している。カバー３は、当該開口を閉塞するようにランプハウジング２に装着されている。これにより、灯室４が区画されている。ランプユニット５は、灯室４内に配置されている。
【００１６】
ランプユニット５は、レンズホルダ６、投影レンズ７、リフレクタ８、光源９、およびベースプレート１０を備えている。レンズホルダ６は、その前端部において投影レンズ７を支持している。リフレクタ８は、レンズホルダ６と投影レンズ７の後方に配置されている。光源９は、リフレクタ８の後端部に装着されている。ベースプレート１０は、レンズホルダ６とリフレクタ８を保持している。
【００１７】
灯具１は、エイミングスクリュ１１とレベリングアクチュエータ１２をさらに備えている。エイミングスクリュ１１とレベリングアクチュエータ１２の各前端部は、ベースプレート１０と接続されている。ランプユニット５は、エイミングスクリュ１１とレベリングアクチュエータ１２を介してランプハウジング２に支持されている。エイミングスクリュ１１やレベリングアクチュエータ１２を動作させることにより、ランプユニット５が上下左右方向に変位する。これによりランプユニット５の光軸の基準位置を調整（いわゆるエイミング調整やレベリング調整）できる。
【００１８】
レンズホルダ６は、樹脂製であり、レンズ保持部６ａ、上側支持部６ｂ、および下側支持部６ｃを備えている。レンズ保持部６ａは、レンズホルダ６の前端部で円筒形状を呈しており、投影レンズ７を保持している。上側支持部６ｂは、レンズ保持部６ａの上側半分における少なくとも一部を支持している。下側支持部６ｃは、レンズ保持部６ａの下側半分における少なくとも一部を支持している。上側支持部６ｂと下側支持部６ｃは、ベースプレート１０に固定されている。
【００１９】
光源９は、外管９ａ、発光部９ｂ、および口金部９ｃを備えるバルブ光源である。バルブ光源としては、放電ランプ、白熱ランプ、ハロゲンランプなどが挙げられる。発光部９ｂは、外管９ａの内部に設けられている。口金部９ｃは、外管９ａの後端部を支持している。
【００２０】
リフレクタ８は、反射面８ａと取付部８ｂを備えている。反射面８ａは、楕円球面を基調とする形状を有している。反射面８ａの後端部は開口し、円筒状の取付部８ｂに連通している。光源９は、外管９ａを取付部８ｂの後端から挿入することにより、リフレクタ８に装着される。このとき、口金部９ｃは取付部８ｂに保持され、発光部９ｂが上記楕円球面の第１焦点に配置される。投影レンズ７は、後方焦点が上記楕円球面の第２焦点に位置するように配置されている。
【００２１】
図示しない点灯回路より光源９に電力が供給されると、発光部９ｂより光が出射される。出射光の一部は前方へ向かう。出射光の別の一部は、リフレクタ８の反射面８ａにより反射され、投影レンズ７を通過する。投影レンズ７を通過した光は、カバー３を通じて灯具１の前方を照明する。
【００２２】
ベースプレート１０は、シェード１３を備えている。シェード１３は、投影レンズ７の後方焦点の近傍かつ光源９よりも下方に配置されている。光源９から出射された光の一部は、シェード１３に遮られる。投影レンズ７は、後方焦点を含む焦点面上の像を反転して前方に投影する。シェード１３の上端縁の像は、灯具１の前方に形成される照明領域と非照明領域の境界線（カットオフライン）として投影される。
【００２３】
ランプユニット５は、熱伝導板２０（熱伝導部材の一例）をさらに備えている。熱伝導板２０は、レンズホルダ６の下側支持部６ｃ（下側部分の一例）と接触するように配置されている。熱伝導板２０は、樹脂製（第１材料の一例）のレンズホルダ６よりも熱伝導性の高い材料からなる。本実施形態において熱伝導板２０は、金属製（第２材料の一例）である。金属としては、金、銀、銅、鉄、アルミニウムなどが挙げられる。
【００２４】
具体的には、熱伝導板２０は、前後方向に延びる第１部分２１と上下方向に延びる第２部分２２を有している。第１部分２１は、レンズホルダ６の下側支持部６ｃの上面に面接触している。第２部分２２は、シェード１３の前面に面接触している。第２部分２２（熱伝導部材の一部の一例）は、ネジなどの締結部材３０によりシェード１３に固定されている。締結部材３０によらず、接着や溶着により固定が行なわれてもよい。
【００２５】
光源９が点灯されると、発生した熱によりランプユニット５内の温度が上昇する。熱は上方に移動しやすいため、レンズホルダ６の上側支持部６ｂが熱膨張する。一方、ランプユニット５内で発生した熱は、熱伝導板２０を通じてレンズホルダ６の下側支持部６ｃに伝達される。これにより、下側支持部６ｃもまた上側支持部６ｂと同様に熱膨張する。したがって、レンズホルダ６に保持された投影レンズ７が下方に傾くことが回避され、ランプユニット５の光軸が所定位置から下方を向くことを防止できる。
【００２６】
また熱伝導板２０の第２部分２２は、シェード１３と面接触するように固定されているため、遮光によりシェード１３に生じる熱が、下側支持部６ｃへ積極的に伝達される。したがって、熱が移動しにくい下方に位置する下側支持部６ｃの熱膨張が促進される。これにより、レンズホルダ６に保持された投影レンズ７が下方に傾くことがより確実に回避され、ランプユニット５の光軸が所定位置から下方を向くことをより確実に防止できる。
【００２７】
さらにレンズホルダ６は樹脂製であるため、ランプユニット５を軽量かつ低コストで構成できる。また熱伝導板２０は金属製であるため、安価かつ容易に下側支持部６ｃへの熱伝導経路を形成できる。
【００２８】
上記の実施形態は本発明の理解を容易にするためのものであって、本発明を限定するものではない。本発明は、その趣旨を逸脱することなく変更・改良されうるとともに、本発明にはその等価物が含まれることは明らかである。
【００２９】
上記の実施形態においては、レンズホルダ６は樹脂製であり、熱伝導板２０は金属製である。しかしながら、レンズホルダ６を形成する材料の熱伝導率よりも熱伝導板２０を形成する材料の熱伝導率が高い限りにおいて、レンズホルダ６と熱伝導板２０を形成する各材料は適宜に選択されうる。例えば、セラミックなどにより熱伝導板２０を形成してもよい。
【００３０】
リフレクタ８の反射面８ａの形状は、形成する配光の仕様に応じて適宜に定められうる。また仕様によっては、必ずしも光源９と投影レンズ７の間にリフレクタ８を配置することを要しない。
【００３１】
本出願は、２０１２年１０月９日に提出された日本国特許出願２０１２−２２４０１０に基づくものであり、その内容はここに参照として取り込まれる。
【図１】
2014057863.tif 000003
【国際調査報告】
2014057863.tif 000004
2014057863.tif 000005